(57)【要約】【課題】巻き取りの量と送り出し量とを等しくして、既設チェーンおよび新規チェーンがスプロケットから外れてしまうのを防止することができるチェーン取替装置を提供する。【解決手段】複数の回転自在のスプロケット群１１に連続して巻き掛けされて設けられた既設チェーン１を新規チェーン２に取り替えるために用いられるチェーン取替装置において、既設チェーン１の回収時に既設チェーン１を収納する回収部３ａおよび新規チェーン２を予め収納し新規チェーン２が送り出される送出部３ｂを有する筐体３と、筐体３に回転自在に設けられ、一方向に回転することで、既設チェーン１と歯合して既設チェーン１を回収部３ａに収納するとともに、新規チェーン２と歯合して送出部３ｂに収納されている新規チェーン２をスプロケット群１１に送り出す取替用スプロケット４とを備えている。【選択図】図４
2008002541.tif 000002
【特許請求の範囲】
【請求項１】
回転自在のスプロケット群に連続して巻き掛けされて設けられた既設チェーンを新規チェーンに取り替えるために用いられるチェーン取替装置において、
前記既設チェーンの回収時に前記既設チェーンを収納する回収部および前記新規チェーンを予め収納し前記新規チェーンが送り出される送出部を有する筐体と、
前記筐体に回転自在に設けられ、一方向に回転することで、前記既設チェーンと歯合して前記既設チェーンを前記回収部に収納するとともに、前記新規チェーンと歯合して前記送出部に収納されている前記新規チェーンを前記スプロケット群に送り出す取替用スプロケットとを備えたことを特徴とするチェーン取替装置。
【請求項２】
前記既設チェーンの反取替用スプロケット側および前記新規チェーンの反取替用スプロケット側の少なくとも一方には、前記既設チェーンおよび前記新規チェーンが前記取替用スプロケットから外れるのを防ぐ外れ止めが設けられていることを特徴とする請求項１に記載のチェーン取替装置。
【請求項３】
前記外れ止めは、バネにより前記取替用スプロケット側に付勢され、かつ、摺動可能な外れ止め本体を有していることを特徴とする請求項２に記載のチェーン取替装置。
【請求項４】
前記取替用スプロケットには、前記取替用スプロケットを回転させるハンドルが設けられたことを特徴とする請求項１ないし請求項３の何れか１項に記載のチェーン取替装置。
【請求項５】
前記回収部と前記送出部との間には、前記回収部と前記送出部とを仕切る仕切り部が設けられていることを特徴とする請求項１ないし請求項４の何れか１項に記載のチェーン取替装置。
【請求項６】
前記スプロケット群は、乗客コンベアのリンク状の手摺の内側と当接して、前記手摺を回転させることを特徴とする請求項１ないし請求項５の何れか１項に記載のチェーン取替装置。
【発明の詳細な説明】
【技術分野】
【０００１】
この発明は、回転自在のスプロケット群に連続して巻き掛けされて設けられた既設チェーンを新規チェーンに取り替えるために用いられるチェーン取替装置に関する。
【背景技術】
【０００２】
従来、チェーンを取り替えるときに、回転自在のスプロケット群に連続して巻き掛けされて設けられた既設チェーンを巻き取る巻取治具と、前記スプロケット群に新規チェーンを送り出す送出治具とにそれぞれの作業者を配置して作業を行うことが知られている（例えば、特許文献１参照）。
【０００３】
【特許文献１】実開平２−２０４２９４号公報
【発明の開示】
【発明が解決しようとする課題】
【０００４】
しかしながら、このものの場合、巻取治具を用いる人による既設チェーンの巻き取りと送出治具を用いる人による新規チェーンの送り出しとを同時に開始しなければならず、さらに、巻き取り量と送り出し量とを一致させて作業しなければならない。作業者のミスにより既設チェーンの巻き取り量と新規チェーンの送り出し量とが一致しない場合には、既設チェーンおより新規チェーンがスプロケットから外れてしまうという問題点があった。
【０００５】
この発明は、上述のような問題点を解決することを課題とするものであって、その目的は、既設チェーンの巻き取り量と新規チェーンの送り出し量とを一致させて、既設チェーンおよび新規チェーンがスプロケットから外れてしまうのを防止するチェーン取替装置を提供するものである。
【課題を解決するための手段】
【０００６】
この発明に係るチェーン取替装置は、回転自在のスプロケット群に連続して巻き掛けされて設けられた既設チェーンを新規チェーンに取り替えるために用いられるチェーン取替装置において、前記既設チェーンの回収時に前記既設チェーンを収納する回収部および前記新規チェーンを予め収納し、前記新規チェーンが送り出される送出部を有する筐体と、前記筐体に回転自在に設けられ、一方向に回転することで、前記既設チェーンと歯合して前記既設チェーンを前記回収部に収納するとともに、前記新規チェーンと歯合して前記送出部に収納されている前記新規チェーンを前記スプロケット群に送り出す取替用スプロケットとを備えたものである。
【発明の効果】
【０００７】
この発明に係るチェーン取替装置によれば、既設チェーンの巻き取り量と新規チェーンの送り出し量とが一致するので、スプロケットから既設チェーンおよび新規チェーンが外れてしまうのを防止することができる。
【発明を実施するための最良の形態】
【０００８】
実施の形態１．
図１はエスカレータの概略図、図２（ａ）はこの発明の実施の形態１に係るチェーン取替装置の内部正面図、図２（ｂ）は図２（ａ）の内部平面図、図３は図１のＡの拡大構成図、図４は図３にチェーン取替装置を設置したときの構成図である。
実施の形態１に係るエスカレータは、リンク状の手摺１２の内側に設けられ、回転自在の手摺駆動用のスプロケット群１１と、このスプロケット群１１と手摺用チェーンを介して連結し、スプロケット群１１を回転させる手摺伝達用のスプロケット８と、このスプロケット８と駆動用チェーンを介して連結し、スプロケット８を回転させる駆動用のスプロケット１３とを備えている。
手摺１２の反スプロケット群１１側には、スプロケット群１１に向かって移動可能な手摺加圧部材１４が設けられており、手摺加圧部材１４をスプロケット群１１に向かって移動させることにより、手摺１２がスプロケット群１１の回転軸および手摺加圧部材１４と当接し、この状態でスプロケット群１１を回転させると、手摺１２が回転する。
手摺用チェーンは、長期間の使用をすると、スプロケット群１１およびスプロケット８との摩擦により劣化するので、定期的に新しいものに交換する必要がある。
実施の形態１に係るチェーン取替装置は、この手摺用チェーンを交換するときに用いるものである。
【０００９】
チェーン取替装置は、回転自在のスプロケット群１１に連続して巻き掛けされて設けられた既設チェーン１を回収する時に既設チェーン１を収納する回収部３ａと、新規チェーン２を予め収納し新規チェーン２がスプロケット群１１に送り出される送出部３ｂとを有する筐体３を備えている。
筐体３の内部には、一方向に回転することで、既設チェーン１と歯合して既設チェーン１を回収部３ａに収納するとともに、新規チェーン２と歯合して送出部３ｂに予め収納されている新規チェーン２を送り出す取替用スプロケット４が回転自在に設けられている。
取替用スプロケット４と歯合した既設チェーン１の反取替用スプロケット４側および取替用スプロケット４と歯合した新規チェーン２の反取替用スプロケット４側には、既設チェーン１および新規チェーン２が取替用スプロケット４から外れるのを防ぐ外れ止め５が設けられている。
外れ止め５は、一端部が筐体３の側壁に固定されたボルト５ａと、ボルト５ａの他端部に設けられボルト５ａの軸線方向に摺動可能な外れ止め本体５ｂと、ボルト５ａの外周に設けられ、一端部が筐体３の側壁と当接し、他端部が外れ止め本体５ｂと当接して、外れ止め本体５ｂを取替用スプロケット４側に付勢するバネ５ｃとを有している。
取替用スプロケット４の回転中心部には、取替用スプロケット４を回転させるハンドル６が設けられている。
回収部３ａと送出部３ｂとの間には、回収部３ａと送出部３ｂとを仕切る仕切り部７が設けられている。
【００１０】
チェーン取り替え前の既設チェーン１は、エスカレータ内の回転自在のスプロケット群１１と歯合し、また、スプロケット群１１を回転させるスプロケット８とも歯合している。
スプロケット８は、駆動用チェーンを介してスプロケット１３と連結されているので、負荷がかかり、回転自在ではない。
既設チェーン１は、スプロケット群１１の一部である張力調整用の緊張装置９を移動させることによって、スプロケット群１１から外れないように張力が調整されている。
【００１１】
次に、実施の形態１に係るチェーン取替装置を用いてスプロケット群１１に設けられた既設チェーン１を新規チェーン２に取り替える手順について説明する。
まず、手摺１２とスプロケット群１１とが離れるように、手摺加圧部材１４を反スプロケット群１１側に向かって移動させて、スプロケット群１１を回転自在な状態にする。
さらに、緊張装置９を移動させて既設チェーン１の張力を緩める。
スプロケット８から既設チェーン１を外し、既設チェーン１の一部を切り離してできた一端部と筐体３内部に収納され取替用スプロケット４と歯合している新規チェーン２の先端部とを連結部材１０により接続し、既設チェーン１の他端部は取替用スプロケット４と歯合させる。
次に、チェーン取替装置内で、既設チェーン１の反取替用スプロケット４側および新規チェーン２の反取替用スプロケット４側に、外れ止め５をセットする。
さらに、ハンドル６を一方向に回すことで、既設チェーン１を回収部３ａに収納するとともに、送出部３ｂに収納されていた新規チェーン２をスプロケット群１１に送り出す。
既設チェーン１が全て新規チェーン２と取り替えられたら、新規チェーン２の両端部を互いに結合させ、チェーンの取り替えを終了する。
【００１２】
実施の形態１に係るチェーン取替装置によると、既設チェーン１と新規チェーン２とが同一の取替用スプロケット４と歯合しているので、既設チェーン１の巻き取り量と新規チェーン２の送り出し量が常に一致し、既設チェーン１および新規チェーン２がスプロケット群１１から外れることを防止することができる。
また、既設チェーン１の巻き取りと新規チェーン２の送り出しを同時に一人で行うことができるので、作業者の人数を減らすことができる。
また、既設チェーン１は巻き取られると同時に回収部３ａに収納されるので、エスカレータの周囲を汚すことなく作業を行うことができる。
【００１３】
また、既設チェーン１の反取替用スプロケット４側および新規チェーン２の反取替用スプロケット４側には、外れ止め５が設けられているので、既設チェーン１を新規チェーン２に取り替える時に、既設チェーン１および新規チェーン２が取替用スプロケット４から外れるのを防ぐことができる。
【００１４】
また、取替用スプロケット４には、取替用スプロケット４を回転させるハンドル６が設けられているので、取替用スプロケット４を簡単に回転させることができる。その結果、既設チェーン１から新規チェーン２への取り替えを簡単に行うことができ、作業時間の短縮を図ることができる。
【００１５】
また、回収部３ａと送出部３ｂとの間には、回収部３ａと送出部３ｂとを仕切る仕切り部７が設けられているので、既設チェーン１を新規チェーン２に取り替える際に、既設チェーン１と新規チェーン２とを別々に収納することができる。
【００１６】
なお、上記実施の形態１では、手摺加圧部材１４を反スプロケット群１１側に移動させて、スプロケット群１１と手摺１２とを切り離すことで、スプロケット群１１を回転自在にするとして説明したが、勿論このものに限らない。
例えば、手摺加圧部材１４が設けられてなく、手摺１２とスプロケット群１１とが常に当接しているためスプロケット群１１が回転自在でない場合には、スプロケット群１１と既設チェーン１との間に既設チェーン１を滑らせるチェーン取替治具（特許文献１の図２参照）を設けた後に、実施の形態１のチェーン取替装置を用いて既設チェーン１から新規チェーン２への取り替えを行ってもよい。
【００１７】
また、上記実施の形態１では、外れ止め５が取替用スプロケット４と歯合した既設チェーン１の反取替用スプロケット４側および取替用スプロケット４と歯合した新規チェーン２の反取替用スプロケット４側に設けられているとして説明したが、少なくとも何れか一方であってもよい。
【００１８】
また、上記実施の形態１では、取り替えるチェーンをスプロケット８およびスプロケット群１１と歯合した手摺用チェーンついて説明したが、勿論このものに限らず、他の用途に使用されるスプロケットと歯合したチェーンであってもよい。
【００１９】
また、上記実施の形態１では、チェーン取替装置をエスカレータ用として説明したが、勿論このものに限らず、例えば、動く歩道に用いてもよい。
【図面の簡単な説明】
【００２０】
【図１】エスカレータの概略図である。
【図２】図２（ａ）は実施の形態１に係るチェーン取替装置の内部正面図、図２（ｂ）は図２（ａ）の内部平面図である。
【図３】図１のＡの拡大構成図である。
【図４】図３に図２（ａ）のチェーン取替装置を設置したときの構成図である。
【符号の説明】
【００２１】
１  既設チェーン、２  新規チェーン、３  筐体、３ａ  回収部、３ｂ  送出部、４  取替用スプロケット、５  外れ止め、５ａ  ボルト、５ｂ  外れ止め本体、５ｃ  バネ、６  ハンドル、７  仕切り部、８  スプロケット、９  緊張装置、１０  連結部材、１１  スプロケット群、１２  手摺、１３  駆動用スプロケット、１４  手摺加圧部材。
【図１】
2008002541.tif 000003
【図２】
2008002541.tif 000004
【図３】
2008002541.tif 000005
【図４】
2008002541.tif 000006